(57)【特許請求の範囲】
【請求項１】
カード通路を移動するＩＣカードの先端が係合する係合部を有しＩＣカードの移動に追従して退避位置からカード通路内に進出し、進出することによってＩＣカードの電極に電気的に接触する接点部を有する接点接触ユニットを備えたＩＣカード用接点接触装置において、前記接点接触ユニットの係合部をカード通路に進退自在とする作動手段を設け、ＩＣカードの厚みを検知することによって水平方向に揺動するレバーと、このレバーの水平方向の揺動動作を垂直方向に変換し前記接点接触ユニットの係合部をカード通路に進出させる変換手段とを備えたことを特徴とするＩＣカード用接点接触装置。
【請求項２】
カード通路を移動するＩＣカードの先端が係合する係合部を有しＩＣカードの移動に追従して退避位置からカード通路内に進出し、進出することによってＩＣカードの電極に電気的に接触する接点部を有する接点接触ユニットを備えたＩＣカード用接点接触装置において、前記接点接触ユニットの係合部をカード通路に進退自在とする作動手段を設け、前記作動手段を前記接点接触ユニットに固定したソレノイドとし、このソレノイドのロッドを前記係合部としたことを特徴とするＩＣカード用接点接触装置。
【請求項３】
カード通路内に、請求項１または２記載のＩＣカード用接点接触装置と、カードの表面を読み取る画像読取装置、非接触型ＩＣカード処理部、磁気カード処理部のうちの少なくともいずれか一つとを設けたことを特徴とするカード処理装置。
【請求項４】
請求項３記載のカード処理装置において、カード通路内に挿入されたカードを搬送する搬送手段を備えたことを特徴とするカード処理装置。
【発明の詳細な説明】
【０００１】
【発明の属する技術分野】
本発明は、接触型ＩＣカード処理装置に使用されるＩＣカード用接点接触装置および各種のカードを処理するカード処理装置に関する。
【０００２】
【従来の技術】
この種の接触型ＩＣカード処理装置において、カード挿入口からカード通路内に挿入されたカードは、カード内のデータが処理された後、カード通路内を逆に搬送されてカード挿入口から排出される。一方、不良カードや不正カードを回収可能とするために、カード搬送路の後方側にカードを排出する構造が要求されている。この要求は、連続して２枚のカードを取込み、１枚のカードを排出側で待機させておく場合にも適用される。
【０００３】
この要求を満足するものとして、特開平１１−２３２３９７号公報に開示されたものがある。ここに開示されたものは、カード挿入口と、このカード挿入口に連通されたカード通路と、このカード通路内に挿入されたＩＣカードを搬送する搬送手段と、ＩＣカード内のデータを処理する接点接触ユニットとが備えられている。接点接触ユニットは、カード通路内を搬送されるＩＣカードが係合することによりこのＩＣカードに追従して退避位置からカード通路内に進出し、接点部がＩＣカードの電極に電気的に接触するので、ＩＣカード内のデータが処理される。一方、ＩＣカードを回収する必要が生じた場合には、さらにＩＣカードを後方に搬送することにより、接点接触ユニットがカード通路から退避した位置に位置付けられるので、ＩＣカードと接点ユニットとの係合が解除され、ＩＣカードはカード通路の後方から排出される。
【０００４】
【発明が解決しようとする課題】
しかしながら、従来のカード処理装置においては、カードをカード通路の後方から排出する場合にも、退避位置に位置付けられている接点接触ユニットを一旦カード通路に進出させ、接点部をＩＣカードの電極に電気的に接触させる構造としている。したがって、表面に電極が設けられていないカードを後方に排出するときに、カードの表面に傷を付けるおそれがあるというだけでなく、カードに不必要な負荷がかかるという問題もあった。また、接点接触ユニットを中立の位置に保持するのに搬送方向および反対方向に付勢する２本の引張りスプリングを鋼線を介して連結し、プーリで巻回するようにしているために、構造が複雑で、接点ユニットを中立の位置に安定して保持するのが難しいという問題もあった。
【０００５】
本発明は上記した従来の問題に鑑みなされたものであり、第１の目的はカードの表面に傷を付けないことにある。また、第２の目的は構造を簡素化することにある。
【０００６】
【課題を解決するための手段】
この目的を達成するために、請求項１に係る発明は、カード通路を移動するＩＣカードの先端が係合する係合部を有しＩＣカードの移動に追従して退避位置からカード通路内に進出し、進出することによってＩＣカードの電極に電気的に接触する接点部を有する接点接触ユニットを備えたＩＣカード用接点接触装置において、前記接点接触ユニットの係合部をカード通路に進退自在とする作動手段を設け、ＩＣカードの厚みを検知することによって水平方向に揺動するレバーと、このレバーの水平方向の揺動動作を垂直方向に変換し前記接点接触ユニットの係合部をカード通路に進出させる変換手段とを備えたものである。
したがって、接点接触ユニットは必要なとき以外はカード通路から退避した位置に位置付けられている。また、ＩＣカードがカード通路に挿入されるとレバーが水平方向に揺動し、変換手段よって接点接触ユニットの係合部がカード通路内に進出する。
【０００７】
また、請求項２に係る発明は、カード通路を移動するＩＣカードの先端が係合する係合部を有しＩＣカードの移動に追従して退避位置からカード通路内に進出し、進出することによってＩＣカードの電極に電気的に接触する接点部を有する接点接触ユニットを備えたＩＣカード用接点接触装置において、前記接点接触ユニットの係合部をカード通路に進退自在とする作動手段を設け、前記作動手段を前記接点接触ユニットに固定したソレノイドとし、このソレノイドのロッドを前記係合部としたものである。
したがって、ロッドが前進すると、このロッドにカードの先端が係合し、接点接触ユニットがカードの移動に追従して下降し、接点接触ユニットの接点部がカードの電極に電気的に接触する。
【０００８】
また、請求項３に係る発明は、カード通路内に、請求項１または２記載のＩＣカード用接点接触装置と、カードの表面を読み取る画像読取装置、非接触型ＩＣカード処理部、磁気カード処理部のうちの少なくともいずれか一つとを設けたものである。
したがって、カード通路内を非接触型ＩＣカードや磁気カードが移動するときには、接点接触ユニットの係合部はカード通路から退避した位置に位置付けられている。
【０００９】
また、請求項４に係る発明は、請求項３に係る発明において、カード通路内に挿入されたカードを搬送する搬送手段を備えたものである。
したがって、カードは搬送手段によって画像読取装置、非接触型ＩＣカード処理部、磁気カード処理部または接点接触ユニットに搬送される。
【００１２】
【発明の実施の形態】
以下、本発明の実施の形態を図を用いて説明する。図１（ａ）は本発明に係るカード処理装置のアッパーケースを取り外した状態で示す平面図、同図（ｂ）は同図（ａ）におけるI（ｂ）-I（ｂ） 線断面図である。図２は同じく動作状態を拡大して示す断面図であって、同図（ａ）は接点接触ユニットが退避位置に位置付けられた状態を示し、同図（ｂ）は接点接触ユニットの係合部にＩＣカードの先端が係合した状態を示し、同図（ｃ）は接点接触ユニットの接点部とＩＣカードの電極部が電気的に接触した状態を示す。
【００１３】
図１（ｂ）において、全体を符号１で示すカード処理装置の筺体は、ロアーケース２とアッパーケース３とによって構成されている。ロアーケース２は上板５と両側板６，６とによって正面視コ字状に形成されている。アッパーケース３は底面板８と両側板９，９とによって正面視コ字状に形成されている。ロアーケース２の上板５上にアッパーケース３の底面板８を載置するようにして、アッパーケース３をロアーケース２に組み付けることによって、上板５と底板８との間にカードが搬送されるカード通路１０が形成される。これら上板５と底板８の後部側には、図２に示すように、後述する接点接触ユニット３７の係合部４４と接点部４５がカード通路１０内に進出可能なように窓５ａ，８ａが設けられている。カード通路１０の前端と後端は開口され、前端の開口はカード挿入兼返却口１１として機能し、後端の開口はカード収納口１２として機能する。
【００１４】
１５はカード搬送用のモータであって、ロアーケース２に取り付けられ、モータ軸には小径のプーリ１６が軸着されている。１７は駆動軸であって、ロアーケース２の両側板６，６間に回転自在に支持され、一方の側板６から突出した突出端部には大径のプーリ１８が軸着されている。このプーリ１８とプーリ１６との間にはベルト１９が張架され、モータ１５が駆動されると、このベルト１９を介して駆動軸１７が回転駆動される。
【００１５】
この駆動軸１７の略中央部には駆動ローラ２０が軸着され、この駆動ローラ２０の上端部はロアーケース２の上板５の切欠き窓（図示せず）からカード通路１０に臨んでいる。２１ないし２４は従動ローラであって、ロアーケース２の両側板６，６間に横架された軸に回転自在に支持され、これら従動ローラ２１ないし２４の上端部はロアーケース２の上板５の切欠き窓（図示せず）からカード通路１０に臨んでいる。従動ローラ２２と駆動ローラ２０との間には、第１の駆動ベルト２５が張架され、従動ローラ２１はこの第１の駆動ベルト２５に添接されている。また、従動ローラ２４と駆動ローラ２０との間には、第２の駆動ベルト２６が張架され、従動ローラ２３はこの第２の駆動ベルト２６に添接されている。
【００１６】
２８は磁気ヘッドであって、上端部がロアーケース２の上板５の切欠き窓（図示せず）からカード通路１０に臨むようにロアーケース２に固定されている。２９はタッチローラであって、磁気ヘッド２８に対接するようにしてアッパーケース３にブラケット（図示せず）を介して回転自在に支持されている。３０は５個のピンチローラであって、アッパーケース３の両側板９，９間に横架された軸に回転自在に支持され、駆動ローラ２０と４個の従動ローラ２１，２２，２３，２４にそれぞれ対接している。
【００１７】
３２は画像読取装置であって、カード通路１０のカード挿入兼返却口１１に近接して位置付けられ、カード挿入兼返却口１１から挿入されたカードの表面のＩＣ用の電極を読取り、カードがＩＣカードであることを検出する。３３はアンテナ部３４を有する非接触型ＩＣカード用リーダライタであって、磁気ヘッド２８よりもカード通路１０の後方側であって、カード通路１０から上方に離間した位置に位置付けられている。
【００１８】
次に、図２を用いて本発明の特徴であるＩＣカード用接点接触装置３５について説明する。
ＩＣカード用接点接触装置３５は、カード通路１０の後端側に設けられ、アッパーケース３の底板８の窓８ａの両側縁に対向するように立設された左右一対のガイド板３６，３６と、これらガイド板３６，３６に案内される接点接触ユニット３７と、ガイド板３６，３６に固定され接点接触ユニット３７を揺動させるソレノイド３８とから概略構成されている。
【００１９】
左右一対のガイド板３６，３６の前部には、第１のガイド溝４０が設けられ、後部には第２のガイド溝４１が設けられている。第１のガイド溝４０は、図中左端部に右下がりに傾斜した傾斜部４０ａと、この傾斜部４０ａに連通された水平部４０ｂと、この水平部４０ｂに連通された垂直部４０ｃとによって略逆Ｌ字状に形成されている。
【００２０】
第２のガイド溝４１は、上下方向に延設されわずかに円弧状に形成された垂直部４１ａと、この垂直部４１ａに連通され図中右下がりに傾斜した傾斜部４１ｂと、この傾斜部４１ｂに連通され水平方向に延設された水平部４１ｃとによって略Ｌ字状に形成されている。
【００２１】
接点接触ユニット３７は略直方体状に形成され、前部および後部の両側部に左右二対のピン４２，４３が植設され、後端側の下面には係合部４４が、図中下方に突設され、下面には接点部４５が設けられている。この接点接触ユニット３７は、左右のピン４２，４３が左右のガイド板３６，３６の第１のガイド溝４０と第２のガイド溝４１にそれぞれ係入されることにより、ピン４２を揺動中心として揺動自在でかつ第１および第２のガイド溝４０，４１に上下動自在に案内される。
【００２２】
すなわち、図２（ａ）に示すように、ピン４２が第１のガイド溝４０の傾斜部４０ａの上端に位置付けられ、ピン４３が第２のガイド溝４１の垂直部４１ａに位置付けられているときには、接点接触ユニット３７の揺動端部（ピン４３側）がピン４２を揺動中心として揺動可能になっている。したがって、第２のガイド溝４１の垂直部４１ａは、接点接触ユニット３７を揺動可能とする揺動部を形成している。４８は引張りコイルばねであって、この引張りコイルばね４８の付勢力によって接点接触ユニット３７の揺動端部が図中反時計方向に回動するように付勢され、係合部４４がカード通路１０から退避した位置に位置付けられている。
【００２３】
ソレノイド３８のロッド５０は、図２（ａ）に示すように、後退した状態で接点接触ユニット３７の揺動端部の上面に当接している。この状態から同図（ｂ）に示すように、ロッド５０が前進すると、接点接触ユニット３７が引張りコイルばね４８の引張力に抗して、ピン４２を回動中心として図中時計方向に回動し、係合部４４がカード通路１０に進出する。このとき、ピン４３は第２のガイド溝４１の垂直部４１ａの下端、すなわち傾斜部４１ｂの上端に位置付けられている。
【００２４】
この状態で、接触型ＩＣカード７がカード通路１０内を図中方に搬送されると、接触型ＩＣカード７の先端が接点接触ユニット３７の係合部４４に係合する。さらに接触型ＩＣカードが搬送されると、ピン４２とピン４３が第１のガイド溝４０の傾斜部４０ａと第２のガイド溝４１の傾斜部４１ｂに案内される。したがって、接点接触ユニット３７は接触型ＩＣカード７の移動に追従して、図中右方に移動するとともに下方に移動し、同図（ｃ）に示すように、接点部４５が接触型ＩＣカードの電極（図示せず）に電気的に接触する。このように、第１のガイド溝４０の傾斜部４０ａと第２のガイド溝４１の傾斜部４１ｂとは、接点接触ユニット３７をＩＣカード７の移動に追従して下降させる下降部を形成している。
【００２５】
この状態で、ピン４２，４３は第１のガイド溝４０の水平部４０ｂと第２のガイド溝４１の水平部４１ｃに位置付けられている。このように、ピン４２，４３が第１のガイド溝４０の水平部４０ｂと第２のガイド溝４１の水平部４１ｃに位置付けられていることにより、接点接触ユニット３７の上方への移動が規制される。したがって、接点接触ユニット３７の接点部４５とＩＣカード７の電極との電気的な接触状態が確実に保持されるので、接点部４５によるデータの処理不良が防止される。このように、第１のガイド溝４０の水平部４０ｂと第２のガイド溝４１の水平部４１ｃは、接点接触ユニット３７の接点部４５とＩＣカードの電極部との電気的接触を保持する保持部を形成している。
【００２６】
次に、このような構成のカード処理装置１におけるカード処理動作を説明する。
予め、図２（ａ）に示すように、ソレノイド３８のロッド５０は後退しており、接点接触ユニット３７の係合部４４がカード通路１０から退避した位置に位置付けられている。この状態で、図１（ｂ）において、磁気カードがカード挿入兼返却口１１からカード通路１０内に挿入されると、図示を省略したセンサによって磁気カードが検出され、モータ１５が正方向に駆動するので、駆動ローラ２０が図中時計方向に回転する。
【００２７】
ベルト２５，２６を介して従動ローラ２１ないし２４も図中時計方向に回転するので、磁気カードはこれら従動ローラ２１ないし２４および駆動ローラ２０とピンチローラ３０に挟持されるようにして、カード通路１０内を図中右方に搬送される。カード通路１０内を搬送された磁気カードは、磁気ヘッド２８によって磁気データが処理されると、モータ１５が逆方向に駆動するので、カード通路１０内を図中左方に搬送され、カード挿入兼返却口１１から返却される。ここで、磁気カードを回収する必要が生じた場合には、モータ１５が正方向に駆動されるので、磁気カードは図中右方に搬送され、カード収納口１２から排出される。このとき、上述したように、接点接触ユニット３７の係合部４４がカード通路１０から退避した位置に位置付けられていることにより、磁気カードは表面に傷が付くことなく排出される。
【００２８】
次に、非接触型ＩＣカードがカード挿入兼返却口１１から挿入されると、図示を省略したセンサによって非接触型ＩＣカードが検出され、モータ１５が正方向に駆動するので、駆動ローラ２０が図中時計方向に回転する。したがって、上述した磁気カードと同様に、カード通路１０内を図中右方に搬送され、非接触型ＩＣカード用リーダライタ３３によってカードのデータが処理されると、モータ１５が逆方向に駆動するので、カード挿入兼返却口１１から返却される。ここで、非接触型ＩＣカードを回収する必要が生じた場合には、モータ１５が正方向に駆動するので、非接触型ＩＣカードは図中右方に搬送され、カード収納口１２から排出される。この場合にも、予め、接点接触ユニット３７の係合部４４がカード通路１０から退避した位置に位置付けられているので、非接触型ＩＣカードは表面に傷が付くことなく排出される。
【００２９】
次に、接触型ＩＣカードがカード挿入兼返却口１１から挿入されると、図示を省略したセンサによって接触型ＩＣカードが検出され、モータ１５が正方向に駆動するので、上述した磁気カードと同様に、カード通路１０内を図中右方に搬送される。同時に、画像読取装置３２によって接触型ＩＣカードの表面に設けた電極が読み取られるので、ソレノイド３８のロッド５０が前進し、図２（ｂ）に示すように、接点接触ユニット３７の係合部４４がカード通路１０内に進出する。
【００３０】
したがって、カード通路１０内を搬送された接触型ＩＣカード７が、接点接触ユニット３７の係合部４４に係合するので、接点接触ユニット３７はカードの移動に追従して、図２（ｃ）に示すように、接点部４５が接触型ＩＣカード７の電極に電気的に接触し、データの処理が行われる。データの処理が終了すると、モータ１５が逆方向に駆動されるので、接触型ＩＣカード７は図１（ｂ）中左方に搬送され、カード挿入兼返却口１１から返却される。
【００３１】
ここで、接点接触ユニット３７の接点部４５によってデータの処理の結果、接触型ＩＣカード７の回収の必要が生じた場合には、ソレノイド３８のロッド５０を後退させ、ロッド５０による接点接触ユニット３７に対する下方への押圧を解除する。同時に、モータ１５をわずかに逆方向に回転させることにより、接触型ＩＣカード７を図２（ｃ）中左方に移動させ、接触型ＩＣカード７の先端と接点接触ユニット３７の係合部４４の係合を解除する。
【００３２】
接点接触ユニット３７は引張りコイルばね４８の引張力によって斜め上方に移動するので、図２（ａ）に示すように、接点接触ユニット３７の係合部４４がカード通路１０から退避する。この状態にしてから、モータ１５を正方向に駆動することにより、接触型ＩＣカード７はカード収納口１２から排出される。
【００３３】
図３および図４は本発明の第２の実施の形態を示し、図３は要部の概略の平面図、図４は図３におけるIV矢視図である。
これらの図において、５５はカード通路１０の一方の側部に設けられたレバーであって、枢軸５６を揺動中心として図３中時計、反時計方向に回動自在に枢支され、枢軸の両側に腕部５７，５８が形成されている。一方の腕部５７の内側部にはカード厚検出部５９が突設され、このカード厚検出部５９にはスリット状の凹嵌部５９ａがカードの移動方向に延在するように設けられている。この凹嵌部５９ａの高さ方向の寸法δは、接触型ＩＣカード７の厚みαよりも小さく、かつ磁気カードの厚みよりもわずかに大きく形成されている。
【００３４】
他方の腕部５８の先端には、図４において逆Ｌ字状の作動部６０が一体に形成され、この作動部６０の先端は接点接触ユニット３７の上方に位置付けられ、この先端部の端面には三角形状のカム面６０ａが形成されている。一方、接点接触ユニット３７の上面には、被作動部材６２が取り付けられ、この被作動部材６２の上端面には、カム面６０ａに対向するカム面６２ａが形成されている。
【００３５】
このような構成において、カード通路１０内に磁気カードが挿入された場合には、磁気カードの側部はレバー５５の凹嵌部５９ａ内に嵌入するので、レバー５８は枢軸５６を揺動中心として揺動するようなことがない。したがって、接点接触ユニット３７の係合部４４は、引張りコイルばね４８の引張力によってカード通路１０から退避した位置に位置付けられたままの状態に保持されるので、磁気カードは接点接触ユニット３７の接点部に接触することなく搬送される。
【００３６】
一方、カード通路１０内に接触型ＩＣカード７が挿入された場合には、接触型ＩＣカード７の側部はレバー５５の凹嵌部５９ａに嵌入することができないので、接触型ＩＣカード７によって、レバー５５が枢軸５６を揺動中心として図３中反時計方向に回動する。したがって、図４において、レバー５５の作動部６０が図中水平方向右方に移動し、カム面６０ａが被作動部材６２のカム面６２ａに対接して接点接触ユニット３７を垂直下方に押し下げるので、係合部４４が図中二点鎖線で示すようにカード通路１０内に進出する。
【００３７】
カード通路１０内に進出した係合部４４に接触型ＩＣカード７の先端が係合することにより、上述した第１の実施の形態と同様に、接触型ＩＣカード７の搬送に追従して、接点接触ユニット３７が下降するので、接点部と接触型ＩＣカード７の電極とが電気的に接触する。このように、接触型ＩＣカード７を検出して接点接触ユニット３７の係合部４４をカード通路１０内に進出させるのに、レバー５８と被作動部材６２とを採用したことにより、構造が簡素化され、かつ部品点数が削減されるというだけでなく、製造コストが低減される。
【００３８】
図５は本発明に係るカード処理装置の第３の実施の形態の動作状態を拡大して示す断面図であって、同図（ａ）はソレノイドのロッドが退避位置に位置付けられた状態を示し、同図（ｂ）はソレノイドのロッドにＩＣカードの先端が係合した状態を示し、同図（ｃ）は接点接触ユニットの接点部とＩＣカードの電極部が電気的に接触した状態を示す。
【００３９】
この第３の実施の形態が上述した第１の実施の形態と異なる第１の点は、ソレノイド３８が接点接触ユニット３７の上面に固定され、接点接触ユニット３７に一体化されている点にある。第２の点は、接点接触ユニット３７に上下に貫通する貫通孔３７ａを設け、この貫通孔３７ａ中にソレノイド３８のロッド５０を嵌挿させ、このロッド５０をカードの先端が係合する係合部とし、接点接触ユニット３７の係合部４４を除去した点にある。第３の点は、接点接触ユニット３７をピン４２を揺動中心として揺動自在とせずに、上下方向および水平方向のみ移動自在に支持した点にある。
【００４０】
すなわち、同図（ａ）に示すように、ソレノイド３８のロッド５０が後退した状態においては、ロッド５０の先端がカード通路１０から離間した退避位置に位置付けられ、かつ接点部４５も退避位置に位置付けられている。したがって、この状態では、カード通路１０内を搬送されたカードを、接点接触ユニット３７の接点部４５とソレノイド３８のロッド５０に接触することなく、カード回収口１２から後方に排出することが可能になる。
【００４１】
次に、同図（ｂ）に示すように、ソレノイド３８のロッド５０が前進してカード通路１０内に進出すると、カード通路１０内を搬送された接触型ＩＣカード７の先端がロッド５０に当接する。さらに、接触型ＩＣカード７が図中右方に搬送されると、ロッド５０を介してソレノイド３８が右方に移動するので、ソレノイド３８が一体化された接点接触ユニット３７も右方に移動する。したがって、接点接触ユニット３７のピン４２，４３が、第１および第２のガイド溝４０，４１の傾斜部４０ａ，４１ｂに案内され、斜め下方に移動し、接点部４５が接触型ＩＣカード７の電極に電気的に接触する。このように、この第３の実施の形態においては、接点接触ユニット３７をピン４２を中心として回動させる必要がなく、単に斜め下方および水平方向に移動させるだけでよいから、接点接触ユニット３７を支持する構造が簡素化される。
【００４２】
上述した実施の形態では、接点接触ユニット３７の係合部４４またはソレノイド３８のロッド５０をカード通路１０から退避させた状態で、カードをカード回収口１２から排出するようにしたが、カード回収口１２側から、カードを挿入するようにして、カード挿入兼排出口１１から新規のカードを発行するようにしてもよい。また、カード通路１０に画像読取装置３２、磁気ヘッド２８、非接触型ＩＣカード用リーダライタ３３を設けたが、必ずしもこれらすべてを設ける必要はなく、少なくともこれらのうちの一つを設ければよい。また、カード通路１０の後方に向かって、画像読取装置３２、磁気ヘッド２８、非接触型ＩＣカード用リーダライタ３３、ＩＣカード用接点接触装置３５の順に並べたが、必ずしもこの順に並べる必要はない。
【００４３】
また、接触型ＩＣカード７の電極を読み取るのに画像読取装置３２によって行ったが、これに限定されることはなく、例えば金属探知機で行うようにしてもよい。また、別の方法として、接触型ＩＣカード７に磁気ストライプを設け、この磁気ストライプにＩＣチップが埋設されているカードであることを記録しておき、これを磁気ヘッドで読み取るようにしてもよく、種々の設計変更が可能である。また、ソレノイド３８のロッド５０を進退させるのに、カード処理装置１が接続される上位機のソフトによって制御するようにしてもよい。また、カード通路内に挿入されたカードを、駆動ローラ２０、従動ローラ２１ないし２４、ピンチローラ３０の搬送手段によって搬送するようにしたが、手によってカード通路内を移動させるようにしてもよく、その場合には搬送手段は不要になる。
【００４４】
【発明の効果】
以上説明したように、請求項１に係る発明によれば、構造が簡素化されるにもかかわらず、接触型ＩＣカードをカード通路の後方に排出することが可能になる。また、構造が簡素化され、かつ部品点数が削減されるというだけでなく、製造コストが低減される。
【００４５】
また、請求項２に係る発明によれば、接点接触ユニットを揺動するさせる必要がなく、水平方向に移動自在とすればよいから、構造が簡素化される。
【００４６】
また、請求項３に係る発明によれば、非接触型ＩＣカードや磁気カードの表面に傷を付けるようなことがない。
【００４７】
また、請求項４に係る発明によれば、１台のカード処理装置で複数種のカードの安定した処理が可能になる。
【図面の簡単な説明】
【図１】  同図（ａ）は本発明に係るカード処理装置のアッパーケースを取り外した状態で示す平面図、同図（ｂ）は同図（ａ）におけるI（ｂ）-I（ｂ） 線断面図である。
【図２】  本発明に係るカード処理装置の動作状態を拡大して示す断面図であって、同図（ａ）は接点接触ユニットが退避位置に位置付けられた状態を示し、同図（ｂ）は接点接触ユニットの係合部にＩＣカードの先端が係合した状態を示し、同図（ｃ）は接点接触ユニットの接点部とＩＣカードの電極部が電気的に接触した状態を示す。
【図３】  本発明の第２の実施の形態における要部の概略の平面図である。
【図４】  図３におけるIV矢視図である。
【図５】  本発明に係るカード処理装置の第３の実施の形態の動作状態を拡大して示す断面図であって、同図（ａ）はソレノイドのロッドが退避位置に位置付けられた状態を示し、同図（ｂ）はソレノイドのロッドにＩＣカードの先端が係合した状態を示し、同図（ｃ）は接点接触ユニットの接点部とＩＣカードの電極部が電気的に接触した状態を示す。
【符号の説明】
１…カード処理装置、２…ロアーケース、３…アッパーケース、７…接触型ＩＣカード、１０…カード通路、１１…カード挿入兼返却装置、１２…カード収納口、２０…駆動ローラ、２８…磁気ヘッド、３２…画像読取装置、３３…非接触ＩＣカード用リーダ、３５…ＩＣカード用接点接触装置、３７…接点接触ユニット、３８…ソレノイド、４１…第２のガイド溝、４１ａ…垂直部、４１ｂ…傾斜部、４１ｃ…水平部、４２，４３…ピン（突子）、４４…係合部、４５…接点部、５０…ロッド、５５…レバー、５６…枢軸、５９…カード厚検出部、６０…作動部、６２…被作動部。
【図１】
0003664070.tif 000002
【図２】
0003664070.tif 000003
【図３】
0003664070.tif 000004
【図４】
0003664070.tif 000005
【図５】
0003664070.tif 000006